(57)【要約】【課題】  複数の洗浄ノズルを備えて水洗浄および洗剤洗浄が可能な局部洗浄装置において、洗剤洗浄で使用した洗浄ノズルのみすすぎ洗浄することによって洗剤洗浄で使用していない洗浄ノズルに洗剤が固着してしまうことがない局部洗浄装置を提供する。【解決手段】  洗剤を保存するための洗剤保持部１と、複数の洗浄ノズル２と、水源８０から前記複数の洗浄ノズル２へ至る給水経路３および前記洗剤保持部１からの洗剤を給水経路３に注入するための洗剤注入口４と、複数の洗浄ノズル２への流路を切り替える流路切換手段５と、洗剤保持部１と洗剤注入口４とを接続する洗剤供給経路６０および洗剤供給手段と、各洗浄ノズル２にて人体の局部の水洗浄または洗剤洗浄を行うための制御部７とを備えた局部洗浄装置において、洗剤洗浄に使用した洗浄ノズル２とは異なる洗浄ノズル２を水ですすぎ洗浄する制御部７とした。【選択図】        図１
2005336846.tif 000002
【特許請求の範囲】
【請求項１】
洗浄液である洗剤を保存するための洗剤保持部と、洗浄する目標の異なる複数の洗浄ノズルと、水源から前記複数の洗浄ノズルへ至る給水経路および該給水経路の途中に配設されて前記洗剤保持部からの洗剤を給水経路に注入するための洗剤注入口と、給水経路の下流端に配設されて複数の洗浄ノズルへの流路を切り替える流路切換手段と、洗剤保持部と洗剤注入口とを接続する洗剤供給経路および洗剤供給手段と、各洗浄ノズルにて人体の局部の水洗浄または洗剤洗浄を行うようにした局部洗浄装置において、洗剤洗浄に使用した洗浄ノズルとは異なる洗浄ノズルを水ですすぎ洗浄するように制御する制御部を設けて成ることを特徴とする局部洗浄装置。
【請求項２】
洗剤洗浄をした際に少なくとも１回は洗剤洗浄に使用した洗浄ノズルとは異なる洗浄ノズルを水ですすぎ洗浄する制御部を設けて成ることを特徴とする請求項１記載の局部洗浄装置。
【請求項３】
使用者の離座後に洗剤洗浄に使用した洗浄ノズルとは異なる洗浄ノズルを水ですすぎ洗浄する制御部を設けて成ることを特徴とする請求項１又は２に記載の局部洗浄装置。
【請求項４】
洗剤洗浄に使用した洗浄ノズルとは異なる洗浄ノズルをすすぎ洗浄するための水を一定温度以上とする制御部を設けて成ることを特徴とする請求項１乃至３のいずれかに記載の局部洗浄装置。
【請求項５】
洗剤洗浄に使用した洗浄ノズルとは異なる洗浄ノズルをすすぎ洗浄する水を貯めておくタンクを備えて成ることを特徴とする請求項１乃至４のいずれかに記載の局部洗浄装置。
【発明の詳細な説明】
【技術分野】
【０００１】
本発明は、人体局部を洗浄するための局部洗浄装置に関するものである。
【背景技術】
【０００２】
従来より局部洗浄装置は、例えば特許文献１に示すように、人体の局部の洗浄を行う機構を有する局部洗浄装置本体Ｈと、局部の洗浄の際に使用者が洗浄方法等を操作する操作手段としての操作スイッチ部Ｓと、使用者が座るための便座Ｂと、局部を洗浄するための水を噴出する複数の洗浄ノズル２と、給水弁や温水ヒーター等の制御を行う制御部（図示せず）で構成される（図２参照）。前記複数の洗浄ノズル２としては、例えばお尻を目標として洗浄水（水のみ、または洗剤等の洗剤入りの水）を噴出するお尻洗浄ノズル２ａと（図１参照）、女性の局部を目標として洗浄水を噴出するビデ洗浄ノズル２ｂ等が挙げられ、前記複数の洗浄ノズル２への洗浄水の流路切換手段５を備えている。
【０００３】
局部洗浄装置本体Ｈは、水道等の水源と前記洗浄ノズル２とを結んでその途中に給水弁８１と温水ヒーター８２と給水ポンプ８３を設けた給水経路３と、人体の局部を洗剤洗浄するための洗剤を前記給水経路３に供給するための洗剤供給経路６０および洗剤供給手段と、前記洗剤供給手段からの洗剤を給水経路３に注入して水と混合するため該給水経路３に配設される洗剤注入口４としての洗剤混合分岐栓４ａと、水が洗剤供給経路６０に入ることを防ぐための逆止弁６２とを備えている（図１参照）。洗剤供給手段は、洗剤を貯えるためのタンクである洗剤保持部１と、前記洗剤を吸引して洗剤混合分岐栓４ａに搬送するための洗剤ポンプ６１とで構成される。
【０００４】
この局部洗浄装置においては、使用者が水のみで局部を洗浄する水洗浄を選択した場合には洗剤ポンプ６１を駆動せず、また、洗剤入りの洗浄水で局部を洗浄する洗剤洗浄を選択した場合には、洗剤ポンプ６１を駆動して給水経路３に洗剤を注入して洗剤入りの洗浄水を洗浄ノズル２から局部に向けて噴出して洗剤洗浄を行っていた。
【０００５】
そして洗剤洗浄した場合には、洗剤ポンプ６１内に洗剤が固着するのを防止すべく、洗剤供給経路６０の上流側と給水経路３の途中とを接続する洗剤ポンプすすぎ経路９０を設けるとともに、洗剤ポンプすすぎ経路９０の途中にすすぎ弁９１を設置しておき、洗剤洗浄後には、給水弁８１と前記すすぎ弁９１とを開くとともに洗剤ポンプ６１を逆転駆動することで、給水経路３に流れる水を洗剤ポンプすすぎ経路９０に流すことで洗剤ポンプ６１を給水経路３を流れる水にてすすぎ洗浄するものであった。そして更にこの時、複数の洗浄ノズル２（ここではお尻洗浄ノズル２ａとビデ洗浄ノズル２ｂ）のうち洗剤洗浄に使用した洗浄ノズル２を水のみですすぎ洗浄するものであった。（図１４参照）
従来の局部洗浄装置にあっては、洗浄ノズル２への洗剤固着を防止すべく洗剤洗浄で使用した洗浄ノズル２はすすぎ洗浄するが、洗剤洗浄で使用していない洗浄ノズル２はすすぎ洗浄しないものであった。
【０００６】
しかしながらこの場合、実際には、洗剤洗浄中に流路切換手段５から洗剤洗浄で使用しない洗浄ノズル２へも洗剤入りの洗浄水が漏れて侵入して、洗剤がその洗浄ノズル２内の流路やノズルケース内で固着してノズル特性（この場合は水の流量やノズル伸縮時間）に悪影響が出てしまうものであった。
【特許文献１】特開２０００−６４３９５号公報
【発明の開示】
【発明が解決しようとする課題】
【０００７】
本発明はこのような点に鑑みなされたものであって、その目的とするところは、複数の洗浄ノズルを備えて水洗浄および洗剤洗浄が可能な局部洗浄装置において、洗剤洗浄で使用した洗浄ノズルのみすすぎ洗浄することによって洗剤洗浄で使用していない洗浄ノズルに洗剤が固着してしまうことがない局部洗浄装置を提供することにある。
【課題を解決するための手段】
【０００８】
上記課題を解決するために請求項１に係る発明にあっては、洗浄液である洗剤を保存するための洗剤保持部１と、洗浄する目標の異なる複数の洗浄ノズル２と、水源８０から前記複数の洗浄ノズル２へ至る給水経路３および該給水経路３の途中に配設されて前記洗剤保持部１からの洗剤を給水経路３に注入するための洗剤注入口４と、給水経路３の下流端に配設されて複数の洗浄ノズル２への流路を切り替える流路切換手段５と、洗剤保持部１と洗剤注入口４とを接続する洗剤供給経路６０および洗剤供給手段と、各洗浄ノズル２にて人体の局部の水洗浄または洗剤洗浄を行うようにした局部洗浄装置において、洗剤洗浄に使用した洗浄ノズル２とは異なる洗浄ノズル２を水ですすぎ洗浄するように制御する制御部７を設けて成ることを特徴とするものである。このような構成とすることで、洗剤洗浄中には洗剤洗浄に使用した洗浄ノズル２とは異なる洗浄ノズル２にも流路切換手段５から洗浄水が漏れて進入してしまうが、その洗剤洗浄に使用していない洗浄ノズル２を水ですすぎ洗浄することで、該洗浄ノズル２に洗剤が固着して堆積し、洗浄ノズル２からの洗浄水の流量や洗浄ノズル２の前進後退の駆動に悪影響が出るのを防止することができる。
【０００９】
また、請求項２の発明は、請求項１の発明において、洗剤洗浄をした際に少なくとも１回は洗剤洗浄に使用した洗浄ノズル２とは異なる洗浄ノズル２を水ですすぎ洗浄する制御部７を設けて成ることを特徴とするものである。このような構成とすることで、洗剤洗浄に使用した洗浄ノズル２とは異なる洗浄ノズル２への洗剤の固着、堆積をより一層防止することができる。
【００１０】
また、請求項３の発明は、請求項２の発明において、使用者の離座後に洗剤洗浄に使用した洗浄ノズル２とは異なる洗浄ノズル２を水ですすぎ洗浄する制御部７を設けて成ることを特徴とするものである。このような構成とすることで、使用者の局部の洗剤洗浄中に該洗剤洗浄に使用しない洗浄ノズル２から洗浄水が噴出することがなく、使用者の局部の洗浄に支障をきたすことがないものである。
【００１１】
また、請求項４の発明は、請求項１乃至３の発明において、洗剤洗浄に使用した洗浄ノズル２とは異なる洗浄ノズル２をすすぎ洗浄するための水を一定温度以上とする制御部７を設けて成ることを特徴とするものである。このような構成とすることで、洗浄ノズル２に固着している洗剤を溶かし易くし、洗剤洗浄に使用した洗浄ノズル２とは異なる洗浄ノズル２への洗剤の固着、堆積をより一層防止することができる。
【００１２】
また、請求項５の発明は、請求項１乃至４の発明において、洗剤洗浄に使用した洗浄ノズル２とは異なる洗浄ノズル２をすすぎ洗浄する水を貯めておくタンクを備えて成ることを特徴とするものである。このような構成とすることで、局部の洗浄に使用する水とは別に洗剤洗浄に使用した洗浄ノズル２とは異なる洗浄ノズル２をすすぎ洗浄する水を貯めておくことが可能となり、いかなるときでも洗剤洗浄に使用した洗浄ノズル２とは異なる洗浄ノズル２を水ですすぎ洗浄することが可能となる。
【発明の効果】
【００１３】
本発明にあっては、洗剤洗浄中には洗剤洗浄に使用した洗浄ノズルとは異なる洗浄ノズルにも流路切換手段から洗浄水が漏れて進入してしまうが、その洗剤洗浄に使用していない洗浄ノズルを水ですすぎ洗浄することで、該洗浄ノズルに洗剤が固着して堆積し、洗浄ノズルからの洗浄水の流量や洗浄ノズルの前進後退の駆動に悪影響が出るのを防止することができる。
【発明を実施するための最良の形態】
【００１４】
以下、本発明を添付図面に示す実施形態に基づいて説明する。
【００１５】
本実施形態の局部洗浄装置は、基本的な構成は従来例と同様のため詳細は省略するが、図２に示すように、局部洗浄装置本体Ｈ、操作スイッチ部Ｓ、便座Ｂ、複数の洗浄ノズル２、制御部７（図３参照）で構成される。また、局部洗浄装置本体Ｈも基本的な構成は従来例と同様のため詳細は省略するが、図１に示すように、途中に給水弁８１と温水ヒーター８２と給水ポンプ８３を設けて水源８０からの水を導く給水経路３、逆止弁６２を備えた洗剤供給経路６０と、洗剤保持部１および洗剤ポンプ６１とからなる洗剤供給手段、洗剤注入口４としての洗剤混合分岐栓４ａを備えている。なお水源８０を水道とした場合、水道の水圧によって水を洗浄ノズル２に搬送することができるため給水ポンプ８３を省略することができる。
【００１６】
複数の洗浄ノズル２は、本実施形態では従来例と同様にお尻を目標として洗浄水（水のみ、または洗剤等の洗剤入りの水）を噴出するお尻洗浄ノズル２ａと、女性の局部を目標として洗浄水を噴出するビデ洗浄ノズル２ｂからなるが、特にこれらに限定されず、便器洗浄ノズルやノズル洗浄ノズル等も挙げられる。そして前記複数の洗浄ノズル２（ここではお尻洗浄ノズル２ａとビデ洗浄ノズル２ｂ）への洗浄水の流路および流量の切換が可能な流路切換手段５も備えている。ここで、本実施形態における洗浄ノズル２について説明する。
【００１７】
洗浄ノズル２は、使用時に便器の後部より前方に（便器内に向けて）突出させるもので、内部が水の流路となるシリンダ部２１に突没自在に設けられた本体部２２の先端に形成され、便器に固定されるシリンダ部２１に対して本体部２２を前方に突没させることで突没自在としてある。シリンダ部２１の前方側の端部と本体部２２の後端部に形成したフランジ部２４間にばね２５を介在させて本体部２２がシリンダ部２１に対して後方にばね付勢してある。これにより、洗浄ノズル２の使用時に、洗浄装置本体Ｈ内の給水ポンプ８３にて洗浄ノズル２に温水を搬送する際の水圧にて本体部２２のフランジ部２４がばね２５のばね力に抗して前方に押され、本体部２２が前方に伸びることとなる（図４（ｂ）参照）。そして、使用後に温水の搬送を停止すると、ばね２５の復元力によって本体部２２は再び後方に没入される（図４（ａ）参照）。
【００１８】
そして局部洗浄装置本体Ｈの給水弁８１と温水ヒーター８２と洗剤ポンプ６１、操作スイッチ部Ｓ、流路切換手段５は制御部７に接続されて該制御部７によって制御される。
【００１９】
この局部洗浄装置による人体の局部の洗浄について説明する。図３に示すように、制御部７は、便座Ｂにあっては便座温度調節手段（便座温度可変手段、便座温度検出手段）及び着座センサー、洗浄手段にあっては洗浄温度可変手段（洗浄ノズル２から噴出される洗浄水の温度可変手段）及び洗浄流量可変手段、剤発生手段にあっては手動により洗剤混入量等を調節する剤発生量可変調節手段（剤発生速度可変手段、剤発生時間可変手段）、操作手段としての操作スイッチ部Ｓにあっては便座操作部（便座温度調節キー）、洗浄操作部（洗浄操作キー、洗浄温度操作キー、洗浄流量操作キー）、剤洗浄操作部（剤洗浄開始操作キー、初期剤自給キー）を制御してある。
【００２０】
使用者は、用を足した後に操作スイッチ部Ｓから洗浄方法を入力し、例えば洗浄操作キーを操作して「水洗浄」を選択した場合には、すすぎ弁９１は閉、洗剤ポンプ６１は停止した状態で水源８０から水が給水経路３を通って洗浄ノズル２より人体局部に噴出され、剤洗浄開始操作キーを操作して「洗剤洗浄」を入力した場合には、すすぎ弁は閉、洗剤ポンプ６１を駆動した状態で、上記洗剤混合分岐栓４ａから洗剤が混入されて洗剤入の温水が洗浄ノズル２より人体局部に噴出される。なお、使用者の便座Ｂへの着座・離座は、便座Ｂ又は装置本体に設けた赤外線等を用いて人体の有無を感知する着座センサー８３によって自動的に検知されて制御部７に認識される。そして洗剤混合分岐栓４ａには、洗剤供給手段を設けた洗剤供給経路６０の下流側端部が接続され、これにより洗剤が供給される。
【００２１】
そして洗剤洗浄した場合に洗剤ポンプ６１内に洗剤が固着するのを防止することができるように、洗剤ポンプすすぎ経路９０を設けるとともにすすぎ弁９１を設置して、洗剤洗浄後に、給水弁８１と前記すすぎ弁９１とを開くとともに洗剤ポンプ６１を駆動して給水経路３に流れる水を洗剤ポンプすすぎ経路９０に流すことで洗剤ポンプ６１を給水経路３を流れる水にてすすぎ洗浄する。この時、複数の洗浄ノズル２のうち洗剤洗浄に使用した洗浄ノズル２も水のみですすぎ洗浄するものである。
【００２２】
そして本発明においては、更にこの時、洗剤洗浄に使用した洗浄ノズル２（お尻洗浄ノズル２ａまたはビデ洗浄ノズル２ｂ）のみならず、洗剤洗浄に使用していない洗浄ノズル２（ビデ洗浄ノズル２ｂまたはお尻洗浄ノズル２ａ）も水のみですすぎ洗浄するようにしている。図５に一動作例のタイムチャートを示す。
【００２３】
本動作例は、お尻洗浄ノズル２ａによる洗剤洗浄を行った場合の動作例である。この場合、図５のタイムチャートに示すように、お尻洗浄ノズル２ａによる洗剤洗浄を行った後、洗剤ポンプ６１の水によるすすぎ洗浄を行い、使用者が離座した後、再度洗剤ポンプ６１の水によるすすぎ洗浄を行い、その後、お尻洗浄ノズル２ａのすすぎ洗浄を行い、更にその後、ビデ洗浄ノズル２ｂのすすぎ洗浄を行うものである。離座後の制御部７による制御について説明する。
【００２４】
使用者が離座すると、水源からの水が所定の温度（例えば４０℃）となるように温水ヒーター８２に通電して所定時間加温し、その後、給水弁８１とすすぎ弁９１を開いてその温水によって洗剤ポンプ６１のすすぎ洗浄を行い、所定時間すすぎ洗浄を行った後で給水弁８１とすすぎ弁９１を閉じて洗剤ポンプ６１の駆動を停止して前記すすぎ洗浄を終了し、再度給水弁８１を開いて流路切換手段５にて流路をお尻洗浄ノズル２ａ側に設定するとともに流量を調節してお尻洗浄ノズル２ａが伸張しない程度の流量でお尻洗浄ノズル２ａのすすぎ洗浄を所定時間行い、次に、流路切換手段５にて流路をビデ洗浄ノズル２ｂ側に切替えるとともに流量を調節して該ビデ洗浄ノズル２ｂが伸張しない程度の流量ビデ洗浄ノズル２ｂのすすぎ洗浄を所定時間行って離座後の一連のすすぎ洗浄の制御が完了する。なお、すすぎ洗浄の水の温度は特に限定されないが、水温４０℃が一般的に洗剤が溶解しやすい温度といわれているため、それ以上の温度であれば洗浄ノズル２、給水経路３等に洗剤が固着していてもその温水ですすぎ洗浄することで溶解することができて好ましい。
【００２５】
また、すすぎ洗浄のための水を所定温度以上に加温するのに多大な時間を要する場合には、使用者が離座した直後に次の使用者が着座するような場合の使用者の利便性を考慮すると、離座後の温水ヒーター８２の通電はしなくても良い。
【００２６】
使用者がビデ洗浄ノズル２ｂによる洗剤洗浄を行った場合も同様に、ビデ洗浄ノズル２ｂをすすぎ洗浄した後お尻洗浄ノズル２ａのすすぎ洗浄を行う。
【００２７】
次に、図６および図７に基づいて他の実施形態について説明する。なお、図６および図７に示す本実施形態は大部分において上記実施形態と同様であり、同様の部分については説明を省略して主に異なる部分について説明する。
【００２８】
本実施形態では、図６に示すように、洗浄ノズル２のすすぎ洗浄用の水を貯めておくすすぎ水タンク９２と、前記すすぎ水タンク９２と給水経路３とを接続するすすぎ水路９０と、給水経路３とすすぎ水路９３の上流側の接続部に配設されるすすぎ水路切替弁９４が設けてある。
【００２９】
また、すすぎ水タンク９２内に給水経路３のヒーターとは別の独自のヒーターを設けてあり、これによって洗浄ノズル２のすすぎ洗浄用の温水温度にすることができ、上実施形態のように給水経路３のヒーターのみですすぎ洗浄のための水を所定温度以上に加温するのに多大な時間を要する場合でも、使用者が離座した直後に洗浄ノズル２のすすぎ洗浄を行うことができて、使用者の利便性を向上させることが可能となる。更にこの時、すすぎ水タンク９２内の温水を局部に噴出することはないので、人体へ温水を噴出して火傷したりする惧れがなくて安全性等を考慮する必要を低減でき、高温（例えば６０℃）の温水での洗浄ノズル２のすすぎ洗浄が容易にできて、洗剤の固着をより一層防止することができる。この時のタイムチャートを図７に示す。
【００３０】
本実施形態での洗浄ノズル２のすすぎ洗浄動作の制御部７による制御について説明する。上記実施形態の制御と大部分同様であり、主に異なる部分について説明する。本実施形態では、洗剤ポンプ６１のすすぎ洗浄は上記実施形態と同様に行うものの、洗浄ノズル２をすすぎ洗浄する際、給水弁８１を開く前にすすぎ水路切替弁９４にて流路をすすぎ水路９３側に切替え、その後給水弁８１を開いてその水圧によりすすぎ水タンク９２内の水を押し出して洗浄ノズル２のすすぎ洗浄を行い、前記すすぎ洗浄が終了すると給水弁８１を閉じて、すすぎ水路切替弁９４にて流路を給水経路３側に切替える。
【００３１】
以上のような構成とすることで、実際には洗剤洗浄中には洗剤洗浄に使用した洗浄ノズル２とは異なる洗浄ノズル２にも流路切換手段５から洗浄水が漏れて進入してしまうが、その洗剤洗浄に使用していない洗浄ノズル２を水ですすぎ洗浄することで、該洗浄ノズル２に洗剤が固着して堆積し、洗浄ノズル２からの洗浄水の流量や洗浄ノズル２の前進後退の駆動に悪影響が出るのを防止することができる。
【００３２】
また、洗剤洗浄をした際に少なくとも１回は洗剤洗浄に使用した洗浄ノズル２とは異なる洗浄ノズル２を水ですすぎ洗浄することで、洗剤洗浄に使用した洗浄ノズル２とは異なる洗浄ノズル２への洗剤の固着、堆積をより一層防止することができる。また、使用者の離座後に洗剤洗浄に使用した洗浄ノズル２とは異なる洗浄ノズル２を水ですすぎ洗浄することで、使用者の局部の洗剤洗浄中に該洗剤洗浄に使用しない洗浄ノズル２から洗浄水が噴出することがなく、使用者の局部の洗浄に支障をきたすことがないものである。また、洗剤洗浄に使用した洗浄ノズル２とは異なる洗浄ノズル２をすすぎ洗浄するための水を一定温度以上とすることで、洗浄ノズル２に固着している洗剤を溶かし易くし、洗剤洗浄に使用した洗浄ノズル２とは異なる洗浄ノズル２への洗剤の固着、堆積をより一層防止することができる。また、洗剤洗浄に使用した洗浄ノズル２とは異なる洗浄ノズル２をすすぎ洗浄する水を貯めておくタンクを備えたことで、局部の洗浄に使用する水とは別に洗剤洗浄に使用した洗浄ノズル２とは異なる洗浄ノズル２をすすぎ洗浄する水を貯めておくことが可能となり、いかなるときでも洗剤洗浄に使用した洗浄ノズル２とは異なる洗浄ノズル２を水ですすぎ洗浄することが可能となる。
【００３３】
次に、図８乃至図１３に基づいて他の実施形態について説明する。なお、本実施形態においても上実施形態と同様の部分については説明を省略し、主に異なる部分について説明する。
【００３４】
本実施形態では、図８に示すように、複数の洗浄ノズル２として、洗剤入りの洗浄水による洗浄（即ち洗剤洗浄）専用の洗剤洗浄ノズル２ｃと、水による通常の洗浄（水洗浄）専用の水洗浄ノズル２ｄとを用いるもので、これらの洗浄ノズル２ｃ、２ｄはそれぞれお尻洗浄とビデ洗浄を行うことができる。また、本実施形態では給水経路３の給水ポンプ８３の上流側に給水タンク８４を配設してあり、該給水タンク８４にはヒーター（図示せず）が内蔵してある。
【００３５】
また本実施形態では、流路切換手段５として図１０、図１１に示す切替ニードルＮによる洗浄ノズル部切替弁ブロックを用いている。これは図１１に示すように、管状の切替ニードルＮの開口を洗剤洗浄ノズル２ｃへの流路ｃか水洗浄ノズル２ｄへの流路ｄに連通させることで流路を切替えるもので、図１１（ａ）は水洗浄ノズル２ｄへの流路ｃに切替えた状態を示し、図１１（ｂ）は洗剤洗浄ノズル２ｃへの流路ｃを切替えた状態の断面図であり、図１１（ｃ）は両洗浄ノズル２ｃ、２ｄへ流れないように弁を閉じた状態を示す。
【００３６】
本実施形態においても、洗剤洗浄ノズル２ｃにて洗剤洗浄した場合に洗剤洗浄ノズル２ｃを水のみですすぎ洗浄するとともに、水洗浄ノズル２ｄも同様にすすぎ洗浄するものである。図１２に一動作例のタイムチャートを示す。
【００３７】
Ｔ０の時点で給水弁８１を開にするとともに給水ポンプ８３を駆動して洗浄を開始し、洗剤ポンプ６１が駆動して洗剤が混合されて洗剤洗浄（図８参照）が行われる。洗剤洗浄が行われた後、Ｔ１の時点で洗剤ポンプ６１が停止して洗剤洗浄ノズル２ｃの水によるすすぎ洗浄が行われる。この時、切替ニードルＮは洗剤洗浄ノズル２ｃ側に設定されている。そして前記すすぎ洗浄をｔ１の間行った後Ｔ２の時点で給水弁８１を閉にするとともに給水ポンプ８３を停止した状態で切替ニードルＮを水洗浄ノズル２ｄ側に切替え（図１３中のＡは切替ニードルＮが停止、Ｂは切替ニードルＮの切替動作中を示す）、その後ｔ２の間水洗浄ノズル２ｄのすすぎ洗浄を行うものである。
【００３８】
このようにすることで、実際には洗剤洗浄中に洗剤洗浄に使用しない水洗浄ノズル２ｄにも流路切換手段５から洗剤入りの洗浄水が漏れて侵入してしまうが、その水洗浄ノズル２ｄを水ですすぎ洗浄することで、該水洗浄ノズル２ｄに洗剤が固着して堆積し、水洗浄ノズル２ｄからの洗浄水の流量や水洗浄ノズル２ｄの前進後退の駆動に悪影響が出るのを防止することができる。
【００３９】
また、図１３に他の動作例のタイムチャートを示す。図１２に示す上動作例と大体において同じであるが、本動作例では、着座センサー８３が使用者の離座を検知した時点Ｔ１’で洗剤ポンプ６１が停止して洗剤洗浄ノズル２ｃの水によるすすぎ洗浄が行われる。これによっても上動作例と同様に、水洗浄ノズル２ｄに洗剤が固着して堆積し、水洗浄ノズル２ｄからの洗浄水の流量や水洗浄ノズル２ｄの前進後退の駆動に悪影響が出るのを防止することができる。
【図面の簡単な説明】
【００４０】
【図１】本発明の一実施形態の全体構成図である。
【図２】同上の局部洗浄装置の全体斜視図である。
【図３】同上の制御部による制御を説明する説明図である。
【図４】同上の洗浄ノズルの動作を説明する説明図であり、（ａ）は伸張した状態を示す図であり、（ｂ）は収縮した状態を示す図である。
【図５】（ａ）（ｂ）（ｃ）は同上のにおける一動作例のタイムチャートである。
【図６】本発明の他の実施形態の全体構成図である。
【図７】（ａ）（ｂ）（ｃ）は同上における一動作例のタイムチャートである。
【図８】本発明の更に他の実施形態の構成図を示し、洗剤洗浄ノズルに洗浄水を流す場合の図である。
【図９】同上において水洗浄ノズルに洗浄水を流す場合の構成図である。
【図１０】同上の流路切換手段の斜視図である。
【図１１】流路切換手段の切換状態を示し、（ａ）は水洗浄ノズルへ流路を切替えた状態の断面図であり、（ｂ）は洗剤洗浄ノズルへ流路を切替えた状態の断面図であり、（ｃ）は両洗浄ノズルへ流れないようにした状態の断面図である。
【図１２】同上における一動作例のタイムチャートである。
【図１３】同上における他の動作例のタイムチャートである。
【図１４】従来の局部洗浄装置のタイムチャートである。
【符号の説明】
【００４１】
１    洗剤保持部
２    洗浄ノズル
３    給水経路
４    洗剤注入口
５    流路切換手段
６    洗剤供給手段
６０  洗剤供給経路
７    制御部
【図１】
2005336846.tif 000003
【図２】
2005336846.tif 000004
【図３】
2005336846.tif 000005
【図４】
2005336846.tif 000006
【図５】
2005336846.tif 000007
【図６】
2005336846.tif 000008
【図７】
2005336846.tif 000009
【図８】
2005336846.tif 000010
【図９】
2005336846.tif 000011
【図１０】
2005336846.tif 000012
【図１１】
2005336846.tif 000013
【図１２】
2005336846.tif 000014
【図１３】
2005336846.tif 000015
【図１４】
2005336846.tif 000016